(57)【要約】 【課題】  本発明は、パチンコ機等の弾球遊戯機に設置することができ、動作に多様性を持たせることのできる多段押しソレノイドを提供することを目的とするものである。【解決手段】  本発明は、導線を円筒状に巻いたコイル、前記コイル内を貫通し、スプリングにより後方に位置制御されたプランジャ、及び前記プランジャの前方に連設され、先端に押出板の付いた出力軸からなる一次ソレノイドと、前記一次ソレノイドよりプランジャが長い二次ソレノイドとからなり、一次ソレノイドの前方に二次ソレノイドを連結し、２段階の動作を可能としたことを特徴とする多段押しソレノイドの構成とした。【選択図】  図１
2006334214.tif 000002
【特許請求の範囲】
【請求項１】
導線を円筒状に巻いたコイル、前記コイル内を貫通し、スプリングにより後方に位置制御されたプランジャ、及び前記プランジャの前方に連設され、先端に押出板の付いた出力軸からなる一次ソレノイドと、前記一次ソレノイドよりプランジャが長い二次ソレノイドとからなり、一次ソレノイドの前方に二次ソレノイドを連結し、２段階の動作を可能としたことを特徴とする多段押しソレノイド。
【請求項２】
プランジャの長さの異なるソレノイドを３個以上連結し、３段階以上の動作を可能としたことを特徴とする請求項１に記載の多段押しソレノイド。
【発明の詳細な説明】
【技術分野】
【０００１】
本発明は、パチンコ機等の弾球遊戯機に設置することができ、動作に多様性を持たせることのできる多段押しソレノイドに関するものである。
【背景技術】
【０００２】
パチンコ機において、パチンコ球の打出しやパチンコ台内で発生する様々な動作には、コイル内にプランジャを有するソレノイドが使用される。ソレノイドのコイルに電流を流したり切ったりすることでプランジャを駆動させることができる。
【０００３】
特許文献１に記載されているように、出力軸に固定された第１のプランジャと、出力軸に対し摺動可能に軸支され、第１のプランジャとの間にその摺動量に応じたエアギャップを形成すると共に、所定のストロークを有した第２のプランジャと、第１及び第２のプランジャの周囲に設けたコイルと、出力軸を付勢する付勢手段とを具備して成るソレノイドの発明も公開されている。
【特許文献１】実開平６−７２２１６号公報
【発明の開示】
【発明が解決しようとする課題】
【０００４】
しかしながら、パチンコ機においては、ソレノイドを設置できるスペースが限られており、単にソレノイドの動作を多様化させるだけでなく、シンプルな形状で、かつ装置を大型化しないことが要求される。
【０００５】
そこで、本発明は、パチンコ機等の弾球遊戯機に設置することができ、動作に多様性を持たせることのできる多段押しソレノイドを提供することを目的とするものである。
【課題を解決するための手段】
【０００６】
本発明は、上記の課題を解決するために、導線を円筒状に巻いたコイル、前記コイル内を貫通し、スプリングにより後方に位置制御されたプランジャ、及び前記プランジャの前方に連設され、先端に押出板の付いた出力軸からなる一次ソレノイドと、前記一次ソレノイドよりプランジャが長い二次ソレノイドとからなり、一次ソレノイドの前方に二次ソレノイドを連結し、２段階の動作を可能としたことを特徴とする多段押しソレノイドの構成とした。
【発明の効果】
【０００７】
本発明は、以上の構成であるから以下の効果が得られる。第１に、コイル内にプランジャを有するソレノイドを直列に連結していくシンプルな形状とすることにより、パチンコ機等の弾球遊戯機の機能に支障を与えることなく設置することができる。
【０００８】
第２に、ソレノイドのプランジャの動作に段階を持たせることで、パチンコ機等の弾球遊戯機による演出を多様化することができる。尚、ソレノイドのコイルの数を増やせば、動作の段階を更に増やすことが可能となる。
【発明を実施するための最良の形態】
【０００９】
本発明は、パチンコ機等の弾球遊戯機に設置することができ、動作に多様性を持たせるという目的を、導線を円筒状に巻いたコイル、前記コイル内を貫通し、スプリングにより後方に位置制御されたプランジャ、及び前記プランジャの前方に連設され、先端に押出板の付いた出力軸からなる一次ソレノイドと、前記一次ソレノイドよりプランジャが長い二次ソレノイドとからなり、一次ソレノイドの前方に二次ソレノイドを連結し、２段階の動作を可能とすることで実現した。
【実施例１】
【００１０】
以下に、添付図面に基づいて、本発明である多段押しソレノイドについて詳細に説明する。尚、実施例１においては、多段押しソレノイドのうち、ソレノイドを２つ連結する二段押しソレノイド１について説明する。
【００１１】
二段押しソレノイド１は、導線を円筒状に巻いたコイル、前記コイル内を貫通し、スプリングにより後方に位置制御されたプランジャ、及び前記プランジャの前方に連設され、先端に押出板の付いた出力軸からなる一次ソレノイドと、前記一次ソレノイドよりプランジャが長い二次ソレノイドとからなり、一次ソレノイドの前方に二次ソレノイドを連結し、２段階の動作を可能としたことを特徴とする。
【００１２】
図１は、本発明である多段押しソレノイドの斜視図であり、図２は、本発明である多段押しソレノイドの正面図であり、図３は、本発明である多段押しソレノイドの底面図であり、図４は、本発明である多段押しソレノイドの右側面図である。
【００１３】
二段押しソレノイド１は、カバー２、下板３、一次ソレノイド４、及び二次ソレノイド４ｂからなる。尚、ソレノイドとは、導線を円筒状に均一に巻いた巻線のことであるが、巻線を利用してある動作をさせる機能を部品化したものとする。
【００１４】
カバー２は、板状の部材をコの字状に折り曲げたもので、上面となる１つの上板２ａと、上板２ａの両端から下垂する２つの側板２ｂとからなる。尚、側板２ｂの下部２ヶ所には、カバー２を留めるための留金２ｃを設ける。
【００１５】
下板３は、カバー２の空いている下面に当てる板状の部材であり、カバー２の留金２ｃを下板３に空けた溝に嵌合する。また、下板３には、二段押しソレノイド１を設置位置に固定するためのネジ穴３ａも設けられる。尚、ネジ穴３ａは、下板３に限らず、カバー２の側面など他の箇所に設けることもできる。
【００１６】
一次ソレノイド４は、本体５、貫通孔５ａ、留金５ｂ、留金５ｃ、裏板５ｄ、留金５ｅ、コイル５ｆ、プランジャ５ｇ、ストッパー５ｈ、スプリング５ｉ、出力軸５ｊ、押出板５ｋ、及びコード５ｌからなる。
【００１７】
同様に、二次ソレノイド４ｂは、本体６、貫通孔６ａ、留金６ｂ、留金６ｃ、裏板６ｄ、留金６ｅ、コイル６ｆ、プランジャ６ｇ、ストッパー６ｈ、スプリング６ｉ、出力軸６ｊ、押出板６ｋ、及びコード６ｌからなる。
【００１８】
本体５、６は、板状の部材をコの字状に折り曲げたもので、内部にはコイル５ｆ、６ｆが設置され、空いている後面には裏板５ｄ、６ｄが取り付けられる。本体５、６側面後方の留金５ｃ、６ｃを、裏板５ｄ、６ｄに空けた溝に嵌合する。
【００１９】
本体５、６の前面から裏板５ｄ、６ｄにかけて、コイル５ｆ、６ｆ内を貫通するように貫通孔５ａ、６ａも空けられる。貫通孔５ａ、６ａには、プランジャ５ｇ、６ｇ、及び出力軸５ｊ、６ｊが通される。
【００２０】
また、ソレノイド４、４ｂを下板３に取り付けるために、本体５、６の前面下部には留金５ｂ、６ｂ、裏板５ｄ、６ｄ下部には留金５ｅ、６ｂが設けられる。留金５ｂ、６ｂ、及び留金５ｅ、６ｂを、下板３に空けた溝に嵌合する。
【００２１】
コイル５ｆ、６ｆは、導線を円筒状に巻いたもので、導線に電流を流すことにより、中空の円筒内部を貫通するように磁界が生じる。磁力を利用して内部に通したプランジャ５ｇ、６ｇを動作させる。尚、コイル５ｆ、６ｆの円筒は、本体５、６に収まる長さとなる。
【００２２】
プランジャ５ｇ、６ｇは、コイル５ｆ、６ｆ内を往復する円柱状の部材である。コイル５ｆ、６ｆに磁界が生じると、プランジャ５ｇ、６ｇは前方に移動し、磁界が消滅すると、プランジャ５ｇ、６ｇはスプリング５ｉ、６ｉにより元の位置に戻る。
【００２３】
ストッパー５ｈ、６ｈは、プランジャ５ｇ、６ｇの後端に設けた、プランジャ５ｇ、６ｇの外径よりも径の大きい円盤状の部材である。スプリング５ｉ、６ｉの端を押さえており、後方からプランジャ５ｇ、６ｇを押し込む際にも利用される。
【００２４】
スプリング５ｉ、６ｉは、プランジャ５ｇ、６ｇの周上に螺旋状に巻き付けたバネであり、裏板５ｄ、６ｄとストッパー５ｈ、６ｈにより両端を押さえられる。バネの力を利用してプランジャ５ｇ、６ｇを後方に押し出す役割を持つ。
【００２５】
出力軸５ｊ、６ｊは、プランジャ５ｇ、６ｇの先端に連設される棒状の部材で、プランジャ５ｇ、６ｇに連動して動作する。例えば、プランジャ５ｇ、６ｇが前方に移動すれば、それに伴い出力軸５ｊ、６ｊも前方に移動する。
【００２６】
押出板５ｋ、６ｋは、出力軸５ｊ、６ｊの先端に設けられた円盤状の部材である。物を押し出すと共に、出力軸５ｊ、６ｊの可動範囲を制御する。尚、押出板５ｋ、６ｋのサイズは、ストッパー５ｈ、６ｈのサイズと同程度である。
【００２７】
コード５ｌ、６ｌは、コイル５ｆ、６ｆに電源を供給するための電線である。コイル５ｆ、６ｆの導線の端と連結しており、コード５ｌ、６ｌの表面は、シース材などにより被覆される。
【００２８】
尚、二次ソレノイド４ｂにおけるプランジャ６ｇと出力軸６ｊの合計長は、一次ソレノイド４におけるプランジャ５ｇと出力軸５ｊの合計長よりも長くする。二次ソレノイド４ｂの方の動作に段階を持たせるため、二次ソレノイド４ｂの方は可動範囲を広くする必要がある。
【００２９】
図５は、本発明である多段押しソレノイドのカバーを外した状態の斜視図であり、図６は、本発明である多段押しソレノイドの内部の正面図であり、図７は、本発明である多段押しソレノイドの内部の底面図である。
【００３０】
二段押しソレノイド１では、一次ソレノイド４の前方に二次ソレノイド４ｂを直列状に配置し、一次ソレノイド４の押出板５ｋの前面と、二次ソレノイド４ｂのストッパー６ｈの後面とを合わせる。
【００３１】
一次ソレノイド４の動作は、一次ソレノイド４自身の励磁による動作だけであるが、二次ソレノイド４ｂの動作は、一次ソレノイド４からの押出しによる動作と、押し出された状態から二次ソレノイド４ｂ自身の励磁が加わることによる動作の２段階である。
【００３２】
外部への出力は、二次ソレノイド４ｂの押出板６ｋによる押出しのみであり、一次ソレノイド４の押出板５ｋによる押出しは、内部的に作用するだけで、二次ソレノイド４ｂを介して間接的に出力することになる。
【００３３】
本体５、６内のコイル５ｆ、６ｆは、プランジャ５ｇ及び出力軸５ｊ、又はプランジャ６ｇ及び出力軸６ｊの周上を回るように円筒状に巻かれており、コイル５ｆ、６ｆに電流を流すと、裏板５ｄ、６ｄ側から本体５、６の前面に向かって磁界が生じる。
【００３４】
磁界の強さは、コイル５ｆ、６ｆの巻数などにより変わるので、スプリング５ｉ、６ｉの力などを考慮して調整する。一次ソレノイド４と二次ソレノイド４ｂの出力の強さを変えたりすることも可能となる。
【００３５】
図８は、本発明である多段押しソレノイドの一次ソレノイド励磁状態の斜視図であり、図９は、本発明である多段押しソレノイドの一次ソレノイド励磁状態の断面図である。一次ソレノイド４ａにのみ電流を流した状態である。
【００３６】
一次ソレノイド４ａは、一次ソレノイド４ａ自身の励磁により動作する。二次ソレノイド４ｃは、二次ソレノイド４ｃ自身に励磁はなく、一次ソレノイド４ａの押出しを受けて動作する。
【００３７】
二次ソレノイド４ｃの押出しのストロークは、一次ソレノイド４ａの押出しのストロークが反映されたものとなる。プランジャ５ｇが前方に移動した分だけ、出力軸５ｊも前方に移動し、出力軸５ｊに押されてプランジャ６ｇが前方に移動した分だけ、出力軸６ｊも前方に移動する。
【００３８】
プランジャ５ｇが本体５から出ている部分及び出力軸５ｊが本体５から出ている部分の合計は常に一定であり、プランジャ６ｇが本体６から出ている部分及び出力軸６ｊが本体６から出ている部分の合計も常に一定である。前記合計が押出しのストロークの範囲となる。
【００３９】
プランジャ５ｇ及び出力軸５ｊ、又はプランジャ６ｇ及び出力軸６ｊは、少なくとも最大ストローク以上の長さがある。尚、本体５又は本体６は、出力軸５ｊ、６ｊを収めるために、出力軸５ｊ、６ｊ以上の長さであることが望ましい。
【００４０】
ただし、プランジャ５ｇ、６ｇには、スプリング５ｉ、６ｉが存在し、プランジャ５ｇ、６ｇを、本体５、６内に完全に押し込むことはできないため、縮んだスプリング５ｉ、６ｉの分長くする必要がある。
【００４１】
図１０は、本発明である多段押しソレノイドの一次ソレノイド及び二次ソレノイド励磁状態の斜視図であり、図１１は、本発明である多段押しソレノイドの一次ソレノイド及び二次ソレノイド励磁状態の断面図である。二次ソレノイド４ｄにも電流を流した状態である。
【００４２】
二次ソレノイド４ｄは、一次ソレノイド４ａの励磁による二次ソレノイド４ｃの状態から、二次ソレノイド４ｃを励磁させることにより動作する。二次ソレノイド４ｂはストロークが長いので、二次ソレノイド４ｃ、二次ソレノイド４ｄと段階を踏んで動作させる。
【００４３】
尚、二次ソレノイド４ｂの磁力を強くする等して、一次ソレノイド４が励磁していない二次ソレノイド４ｂの状態から直接二次ソレノイド４ｄの状態に移行できるようにすることも可能である。
【００４４】
二次ソレノイド４ｄは単独で動作し、二次ソレノイド４ｄのストッパー６ｈと一次ソレノイド４ａの押出板５ｋは接触が離れてしまうので、一次ソレノイド４ａからの押出しの影響は受けなくなる。
【００４５】
二次ソレノイド４ｄの押出しのストロークは、二次ソレノイド４ｄの最大ストロークとなるが、一次ソレノイド４ａが励磁状態から移行するため、一次ソレノイド４ａによるストロークから最大ストロークへの段階的な動作となる。
【００４６】
二次ソレノイド４ｄの励磁が解除された場合も、一次ソレノイド４ａの励磁状態により段階的となる。一次ソレノイド４ａが励磁されていれば、二次ソレノイド４ｃとなり、一次ソレノイド４の励磁も解除されれば、二次ソレノイド４ｂとなる。
【００４７】
図１２は、本発明である多段押しソレノイドの一次ソレノイドの動作を示す図であり、図１３は、本発明である多段押しソレノイドの二次ソレノイドの動作を示す図である。一次ソレノイド４と二次ソレノイド４ｂを別々に示す。
【００４８】
図１２に示すように、一次ソレノイド４は、コイル５ｆに電流が流れていない状態である。コイル５ｆに電流を流すと、一次励磁７により磁界が発生し、一次ソレノイド４から一次ソレノイド４ａの状態になる。尚、コイル５ｆに流す電流を切れば、一次ソレノイド４の状態に戻る。
【００４９】
一次ソレノイド４では、スプリング５ｉがストッパー５ｈを押すことによりプランジャ５ｇが後方に押し出されているが、一次励磁７後は、磁界による力がスプリング５ｉの力を上回り、プランジャ５ｇを貫通孔５ａ内に引き込み、出力軸５ｊが貫通孔５ａから飛び出す。
【００５０】
図１３に示すように、二次ソレノイド４ｂは、コイル５ｆ及びコイル６ｆに電流が流れていない状態である。コイル５ｆに電流を流すと、一次励磁７による一次ソレノイド４からの押出しがあり、二次ソレノイド４ｂから二次ソレノイド４ｃの状態になる。尚、コイル５ｆに流す電流を切れば、二次ソレノイド４ｂの状態に戻る。
【００５１】
また、コイル６ｆに電流を流すと、二次励磁７ａにより磁界が発生し、二次ソレノイド４ｃから二次ソレノイド４ｄの状態になる。尚、コイル６ｆに流す電流を切れば、二次ソレノイド４ｃの状態に戻る。
【００５２】
二次ソレノイド４ｂでは、スプリング６ｉがストッパー６ｈを押すことによりプランジャ６ｇが後方に押し出されているが、一次励磁７後は、一次ソレノイド４の押出しがスプリング６ｉの力を上回り、プランジャ６ｇを貫通孔６ａ内に押し込み、押し込んだ分だけ出力軸６ｊが貫通孔６ａから飛び出す。
【００５３】
更に、二次励磁７ａ後は、二次ソレノイド４ｃに生じた磁界による力がスプリング６ｉの力を上回り、プランジャ６ｇを貫通孔６ａ内に引き込み、出力軸６ｊが貫通孔６ａから飛び出す。
【００５４】
尚、一次励磁７のときは、一次ソレノイド４ａと二次ソレノイド４ｃのストロークの差により出力軸６ｊは完全には飛び出さないが、二次励磁７ａのときは、出力軸６ｊが完全に飛び出す。
【００５５】
二段押しソレノイド１の寸法の例としては、一次ソレノイド４及び二次ソレノイド４ｂの長さを約２５ミリメートルとし、一次ソレノイド４と二次ソレノイド４ｂの間隔を約２５ミリメートルとして配置すると、カバー２の長さは約７５ミリメートルとなる。
【００５６】
カバー２は、折り曲げる前の幅を約６６ミリメートルとし、カバー２の上板２ａの幅を約２３．４ミリメートル、上板２ａの両側の側板２ｂの高さをそれぞれ約２１．３ミリメートルとする。尚、下板３も上板２ａと同サイズとなる。
【００５７】
下板３のネジ穴３ａは、下板３の前端又は後端から約３０ミリメートルの位置で、下板３の中心線から約７．５ミリメートル離れた位置に、直径約０．５ミリメートルの大きさで４つ空ける。一のネジ穴３ａは、隣のネジ穴３ａと、約１５ミリメートルの間隔を有することになる。
【００５８】
一次ソレノイド４については、プランジャ５ｇの後方に出る長さを約１３ミリメートルとし、出力軸５ｊは、直径約３ミリメートルで前方に出る長さを約１０ミリメートルとする。ストッパー５ｈ及び押出板５ｋは、直径を約１０ミリメートルで高さを約１ミリメートルとする。
【００５９】
貫通孔５ａは、カバー２の上面から約１１．７ミリメートル、カバー２の側面から約１１．７ミリメートルの位置が中心となるように空けられ、プランジャ５ｇ及び出力軸５ｊが通される。
【００６０】
プランジャ５ｇには、スプリング５ｉのためのスペースが約３ミリメートルあり、約１０ミリメートルが移動範囲となる。一次励磁７によりプランジャ５ｇが貫通孔５ａに約１０ミリメートル引き込まれると、出力軸５ｊが貫通孔５ａから約１０ミリメートル飛び出す。
【００６１】
二次ソレノイド４ｂについては、プランジャ６ｇの後方に出る長さを約２３ミリメートルとし、出力軸６ｊは、直径約３ミリメートルで前方に出る長さを約２０ミリメートルとする。ストッパー６ｈ及び押出板６ｋは、直径を約１０ミリメートルで高さを約１ミリメートルとする。
【００６２】
貫通孔６ａは、カバー２の上面から約１１．７ミリメートル、カバー２の側面から約１１．７ミリメートルの位置が中心となるように空けられ、プランジャ６ｇ及び出力軸６ｊが通される。
【００６３】
プランジャ６ｇにも、スプリング６ｉのためのスペースが約３ミリメートルあり、約２０ミリメートルが移動範囲となる。一次励磁７により一次ソレノイド４の出力軸５ｊが約１０ミリメートル飛び出して、二次ソレノイド４ｂのプランジャ６ｇが約１０ミリメートル押された場合は、出力軸６ｊが貫通孔６ａから約１０ミリメートル飛び出す。
【００６４】
また、一次励磁７に加えて二次励磁７ａによりプランジャ６ｇが貫通孔６ａに更に約１０ミリメートル引き込まれると、出力軸６ｊが貫通孔６ａから約１０ミリメートル飛び出し、全体として約２０ミリメートルの長さとなる。
【００６５】
図１４は、本発明である多段押しソレノイドのソレノイドの内部を示す断面図であり、図１５は、本発明である多段押しソレノイドのソレノイドのプランジャ及び出力軸を示す図である。
【００６６】
図１４に示すように、一次ソレノイド４の場合は、スプリング５ｉによりプランジャ５ｇが後方に押し出されているが、貫通孔５ａよりも径の大きい押出板５ｋが、後方押出しに対する抑えとなる。
【００６７】
また、一次ソレノイド４ａの場合は、一次励磁７によりプランジャ５ｇが前方に押し出されているが、貫通孔５ａ周囲に設けたプランジャ受け５ｏでプランジャ先端５ｍを止めることにより、前方押出しを抑える。
【００６８】
図１５に示すように、一次ソレノイド４のプランジャ５ｇ及び出力軸５ｊの寸法の例としては、ストロークを約１０ミリメートルとし、ストッパー５ｈを含めたプランジャ５ｇの長さが約２５．８ミリメートル、出力軸５ｊの長さが約１２．７ミリメートルとすると、全体として約３８．５ミリメートルとなる。尚、押出板５ｋに嵌め込むために、出力軸先端５ｎとして更に約２．３ミリメートル設ける。
【００６９】
また、二次ソレノイド４ｂのプランジャ６ｇ及び出力軸６ｊの寸法の例としては、ストロークを約２０ミリメートルとし、ストッパー６ｈを含めたプランジャ６ｇの長さが約２５．８ミリメートル、出力軸６ｊの長さが約２２．７ミリメートルとすると、全体として約４８．５ミリメートルとなる。尚、押出板６ｋに嵌め込むために、出力軸先端６ｎとして更に約２．３ミリメートル設ける。
【実施例２】
【００７０】
実施例２においては、多段押しソレノイドのうち、ソレノイドを３つ連結する三段押しソレノイド１ａについて説明する。尚、ソレノイドを３つ以上連結する場合についても同様である。
【００７１】
図１６は、本発明である多段押しソレノイドのソレノイドを三段以上にした場合の図であり、図１７は、本発明である多段押しソレノイドのソレノイドを三段以上にした場合の動作を示す図である。
【００７２】
三段押しソレノイド１ａは、プランジャの長さの異なるソレノイドを３個連結し、３段階の動作を可能としたことを特徴とする。尚、ソレノイドを３個以上連結し、３段階以上の動作とする場合も同様である。
【００７３】
三段押しソレノイド１ａは、一次ソレノイド４、二次ソレノイド４ｂ、及び三次ソレノイド４ｅからなり、一次ソレノイド４の前に二次ソレノイド４ｂ、二次ソレノイド４ｂの前に三次ソレノイド４ｅを配置する。
【００７４】
また、二次ソレノイド４ｂのプランジャ及び出力軸は、一次ソレノイド４のプランジャ及び出力軸よりも長くし、三次ソレノイド４ｅのプランジャ及び出力軸は、二次ソレノイド４ｂのプランジャ及び出力軸よりも長くすることにより、動作に段階を持たせる。
【００７５】
図１７に示すように、一次励磁７の場合は、一次ソレノイド４から一次ソレノイド４ａの状態になることで、二次ソレノイド４ｂが二次ソレノイド４ｃ、三次ソレノイド４ｅが三次ソレノイド４ｆの状態となる。一次励磁７を解除すると、一次ソレノイド４、二次ソレノイド４ｂ、三次ソレノイド４ｅに戻る。
【００７６】
二次励磁７ａの場合は、一次励磁７である二次ソレノイド４ｃから二次ソレノイド４ｄの状態になることで、三次ソレノイド４ｆが三次ソレノイド４ｇの状態となる。二次励磁７ａを解除すると、二次ソレノイド４ｃ、三次ソレノイド４ｆに戻る。
【００７７】
三次励磁７ｂの場合は、二次励磁７ａである三次ソレノイド４ｇから三次ソレノイド４ｈの状態となる。三次励磁７ｂを解除すると、三次ソレノイド４ｇに戻る。
【００７８】
一次ソレノイド４、二次ソレノイド４ｂ、及び三次ソレノイド４ｅを順次励磁していくことにより、三段押しソレノイド１ａによる押出量を変動させることができ、動作を段階的にすることが可能となる。
【実施例３】
【００７９】
多段押しソレノイドは、パチンコ機等の弾球遊戯機に取り付ける。パチンコ機において、ソレノイドはパチンコ球の打出しや入賞ゲートの開閉などに使用されるが、多段押しソレノイドを取り付けることで、動作を多様化することが可能となる。
【００８０】
例えば、多段押しソレノイドをゲートに取り付け、ゲートを閉じた状態から、１段階目の動作としてゲートを少し開いてパチンコ球が通過できるようにし、２段階目の動作としてゲートを大きく開いてパチンコ球がより通過しやすいようにする等である。
【００８１】
また、パチンコ機等の弾球遊戯機以外にも、デパートや飲食店などで使用されるレジスター（金銭登録器）、銀行等のＡＴＭ（現金自動預け入れ払い機）、駅などに設置される自動改札機などに取り付けることができる。
【００８２】
以上のように、本発明である多段押しソレノイドは、コイル内にプランジャを有するソレノイドを直列に連結していくシンプルな形状とすることにより、パチンコ機等の弾球遊戯機の機能に支障を与えることなく設置することができる。
【００８３】
また、ソレノイドのプランジャの動作に段階を持たせることで、パチンコ機等の弾球遊戯機による演出を多様化することができる。尚、ソレノイドのコイルの数を増やせば、動作の段階を更に増やすことが可能となる。
【図面の簡単な説明】
【００８４】
【図１】本発明である多段押しソレノイドの斜視図である。
【図２】本発明である多段押しソレノイドの正面図である。
【図３】本発明である多段押しソレノイドの底面図である。
【図４】本発明である多段押しソレノイドの右側面図である。
【図５】本発明である多段押しソレノイドのカバーを外した状態の斜視図である。
【図６】本発明である多段押しソレノイドの内部の正面図である。
【図７】本発明である多段押しソレノイドの内部の底面図である。
【図８】本発明である多段押しソレノイドの一次ソレノイド励磁状態の斜視図である。
【図９】本発明である多段押しソレノイドの一次ソレノイド励磁状態の断面図である。
【図１０】本発明である多段押しソレノイドの一次ソレノイド及び二次ソレノイド励磁状態の斜視図である。
【図１１】本発明である多段押しソレノイドの一次ソレノイド及び二次ソレノイド励磁状態の断面図である。
【図１２】本発明である多段押しソレノイドの一次ソレノイドの動作を示す図である。
【図１３】本発明である多段押しソレノイドの二次ソレノイドの動作を示す図である。
【図１４】本発明である多段押しソレノイドのソレノイドの内部を示す断面図である。
【図１５】本発明である多段押しソレノイドのソレノイドのプランジャ及び出力軸を示す図である。
【図１６】本発明である多段押しソレノイドのソレノイドを三段以上にした場合の図である。
【図１７】本発明である多段押しソレノイドのソレノイドを三段以上にした場合の動作を示す図である。
【符号の説明】
【００８５】
１        二段押しソレノイド
１ａ      三段押しソレノイド
２        カバー
２ａ      上板
２ｂ      側板
２ｃ      留金
３        下板
３ａ      ネジ穴
４        一次ソレノイド
４ａ      一次ソレノイド
４ｂ      二次ソレノイド
４ｃ      二次ソレノイド
４ｄ      二次ソレノイド
４ｅ      三次ソレノイド
４ｆ      三次ソレノイド
４ｇ      三次ソレノイド
４ｈ      三次ソレノイド
５        本体
５ａ      貫通孔
５ｂ      留金
５ｃ      留金
５ｄ      裏板
５ｅ      留金
５ｆ      コイル
５ｇ      プランジャ
５ｈ      ストッパー
５ｉ      スプリング
５ｊ      出力軸
５ｋ      押出板
５ｌ      コード
５ｍ      プランジャ先端
５ｎ      出力軸先端
５ｏ      プランジャ受け
６        本体
６ａ      貫通孔
６ｂ      留金
６ｃ      留金
６ｄ      裏板
６ｅ      留金
６ｆ      コイル
６ｇ      プランジャ
６ｈ      ストッパー
６ｉ      スプリング
６ｊ      出力軸
６ｋ      押出板
６ｌ      コード
６ｍ      プランジャ先端
６ｎ      出力軸先端
７        一次励磁
７ａ      二次励磁
７ｂ      三次励磁
【図１】
2006334214.tif 000003
【図２】
2006334214.tif 000004
【図３】
2006334214.tif 000005
【図４】
2006334214.tif 000006
【図５】
2006334214.tif 000007
【図６】
2006334214.tif 000008
【図７】
2006334214.tif 000009
【図８】
2006334214.tif 000010
【図９】
2006334214.tif 000011
【図１０】
2006334214.tif 000012
【図１１】
2006334214.tif 000013
【図１２】
2006334214.tif 000014
【図１３】
2006334214.tif 000015
【図１４】
2006334214.tif 000016
【図１５】
2006334214.tif 000017
【図１６】
2006334214.tif 000018
【図１７】
2006334214.tif 000019